(57)【要約】　　　（修正有）【課題】メガネを折畳んで胸ポケットなどの所望の収納部に収納したときにみられる当該収納部からのメガネの落下を防止するために、メガネのテンプルに配設、固定するタイプの経済的かつ効果的な落下防止用クリップを有するメガネを提供する。【解決手段】メガネのテンプルを折畳んで所望の収納部に収納したときに前記収納部からのメガネの落下を防止する手段を有するメガネにおいて、前記落下を防止する手段が、テンプルに固定された落下防止用クリップ（１）である、ことを特徴とする落下防止用クリップ付きメガネ。【選択図】　図２
2004093584.tif 000002
【特許請求の範囲】
【請求項１】
メガネのテンプルを折畳んで所望の収納部に収納したときに前記収納部からのメガネの落下を防止する手段を有するメガネにおいて、前記落下を防止する手段が、テンプルに固定された落下防止用クリップ（１）である、ことを特徴とする落下防止用クリップ付きメガネ。
【請求項２】
落下防止用クリップ（１）が、非ネジ止め式のスライド係合によりテンプルに固定される請求項１に記載の落下防止用クリップ付きメガネ。
【請求項３】
落下防止用クリップ（１）が、ネジ止めによりテンプルに固定される請求項１に記載の落下防止用クリップ付きメガネ。
【請求項４】
落下防止用クリップ（１）の先端部（１ａ）が、一体成形された二股状テンプル固定片（ａ１，ａ１）を有し、前記先端部（１ａ）が、前記テンプル固定片（ａ１，ａ１）の間でスライド移動させたテンプルに非ネジ止め式のスライド係合により固定されるものである請求項２に記載の落下防止用クリップ付きメガネ。
【請求項５】
落下防止用クリップ（１）の先端部（１ａ）が、テンプルを挟持する固定片（ａ１，ａ２，ａ３）及びテンプルをネジ止めする止めネジ（ａ４）を有し、前記先端部（１ａ）が、前記固定片（ａ１，ａ２，ａ３）でテンプルを挟持するとともに止めネジ（ａ４）でネジ止めするものである請求項３に記載の落下防止用クリップ付きメガネ。
【請求項６】
落下防止用クリップ（１）が、ろう付または溶接によりテンプルに固定される請求項１に記載の落下防止用クリップ付きメガネ。
【発明の詳細な説明】
【０００１】
【発明の属する技術分野】
本発明は、メガネを折畳んで胸のポケットなどの所望の収納部に収納したとき、当該収納部からのメガネの落下を効果的に防止することができる落下防止用クリップ付きのメガネに関する。
【０００２】
【従来の技術】
メガネを胸のポケットなどの所望の収納部に収納する場合、例えばメガネをメガネケースに収納した後に胸のポケットなどに収納することがよく行われている。
この場合、収納ケースがプラスチック製などポケット布地に対して滑りやすいもので製作されていると、簡単にズリ落ちてしまう欠点がある。
更には、別体のメガネケースを使用するため、収納時に嵩張ったりする欠点がある。
【０００３】
【発明が解決しようとする課題】
本発明は、従来技術においては、メガネ収納部からのメガネの落下防止を図る有効な手段がない現状に鑑み、創案されたものである。
本発明者は、経済的、効果的なメガネの落下防止手段について鋭意検討した。その結果、本発明者は、メガネのテンプルに直接、落下防止手段を配設することが極めて有効であることを見い出し、本発明を完成した。
【０００４】
【課題を解決するための手段】
本発明を概説すれば、本発明は、メガネのテンプルを折畳んで所望の収納部に収納したときに前記収納部からのメガネの落下を防止する手段を有するメガネにおいて、前記落下を防止する手段が、テンプルに固定された落下防止用クリップ（１）である、ことを特徴とする落下防止用クリップ付きメガネに関するものである。
【０００５】
以下、本発明の技術的構成及び実施態様について図面を参照して詳しく説明する。
なお、本発明は図面に示されたものに限定されないことはいうまでもないことである。
【０００６】
図１〜図４は、本発明の落下防止用クリップ付きメガネ（Ａ）を説明する図である。
図１は、メガネ（Ａ）の一部を示す斜視図であり、特に本発明に係る落下防止用クリップ（１）を配設するテンプル（Ａ１）の部位を示している。なお、図１において、参照番号（Ａ２）はヒンジ、（Ａ３）は耳部係止部（セル）を示している。
【０００７】
図２は、本発明の落下防止用クリップ付きメガネの第一実施態様の落下防止用クリップ（１）を説明する図である。なお、図２は、第一実施態様の落下防止用クリップ（１）をテンプル（Ａ１）に配設した状態を示す斜視図である。
【０００８】
図３は、第一実施態様の落下防止用クリップ（１）の断面図を示すものであり、
（１）．図（３−１）は、図２のＩ−Ｉ線断面図、即ち、落下防止用クリップ（１
）の先端部（１ａ）の断面図、
（２）．図（３−２）は、図２のＩＩ−ＩＩ線断面図、即ち、落下防止用クリップ
（１）の中間部（１ｂ）の断面図、
（３）．図（３−３）は、図２のＩＩＩ−ＩＩＩ線断面図、即ち、落下防止用クリ
ップ（１）の後端部（１ｃ）の断面図、
をそれぞれ示す。
【０００９】
図４は、本発明の第一実施態様の落下防止用クリップ（１）を配設したメガネ（Ａ）の使用例を示す図であり、シャツのポケット（Ｐ）に収納し、メガネ（Ａ）を落下防止用クリップ（１）を介してポケット（Ｐ）に落下しないように固定（クリップ止め）した状態を示している。
【００１０】
本発明の第一実施態様の落下防止用クリップ（１）付きのメガネ（Ａ）において、前記落下防止用クリップ（１）の先端部（１ａ）は、図２〜図３に示されるように、クリップ（１）本体に一体成形された二股状テンプル固定片（ａ１、ａ１）を有し、当該固定片（ａ１、ａ１）の内側でテンプル（Ａ１）を抱きかかえるように挟持し、固定できる構造になっている。
【００１１】
一般に、テンプル（Ａ１）は耳部係止部（セル）（Ａ３）からヒンジ（Ａ２）に向かって太さが太くなっているため、クリップ（１）の先端部（１ａ）をテンプル（Ａ１）の細い部分の外側に装着し（はめ込み）、太いヒンジ（Ａ２）側へスライドさせて、両者の係合により落下防止用クリップ（１）をメガネ（Ａ）に安定的に固定させることができる。本発明に係る落下防止用クリップ（１）の先端部（１ａ）の構造は、前記したテンプル（Ａ１）のスライド及びテンプル（Ａ１）への係合固定を可能にするものであることはいうまでもないことである。
なお、本発明に係る落下防止用クリップ（１）の先端部（１ａ）の構造は、前記したものに限定されず、後述するように種々の変形例を採用することができる。
【００１２】
本発明に係る落下防止用クリップ（１）の他の部位の構造、即ち、中間部（１ｂ）、後端部（１ｃ）の部位の構造は、万年筆やボールペンなどのクリップに見られる構造と同様に構成すればよい。即ち、中間部（１ｂ）を他の部位より凹状とし、例えば当該凹状部にポケット布地が入りやすくし、後端部（１ｃ）を凸状とし、テンプル（Ａ１）との間でポット布地を挟持できるようにすればよい。
【００１３】
図５は、本発明の第二実施態様の落下防止用クリップ（１）を説明する図であり、前記第一実施態様の図３の図（３−１）に対応する図である。
第二実施態様の落下防止用クリップ（１）における特徴的な点は、前記第一実施態様のように二股状テンプル固定片（ａ１、ａ１）を先端部（１ａ）から突出させて設けるのではなく、図示されるように先端部（１ａ）と面一に形成している点にある。なお、クリップ（１）の他の部位の構造は前記第一実施態様のものと同じである。
【００１４】
図６は、本発明の第三実施態様の落下防止用クリップ（１）を説明する図であり、図（６−１）は前記第一実施態様の図２のクリップ先端部（１ａ）に対応する部位の斜視図を示し、図（６−２）は当該部位の断面図を示している。なお、図（６−２）は図示明確のために当該部位を拡大した拡大断面図であることに留意すべきである。この点は、後述の図（７−２）、図（８−２）も同じである。第三実施態様の落下防止用クリップ（１）における特徴的な点は、前記第一実施態様のスライド固定式クリップ（１）の固定をより確実、強固にするためにクリップ先端部（１ａ）に止めネジ（ａ４）を配設している点にある。
止めネジ（ａ４）により二股状テンプル固定部（ａ１、ａ１）内で挟持されているテンプル（Ａ１）は、止めネジ（ａ４）の押圧力により二股状テンプル固定片（ａ１、ａ１）の外側の垂直壁の内側に押圧固定され、クリップ（１）は確実、強固に固定される。
【００１５】
図７は、本発明の第四実施態様の落下防止用クリップ（１）を説明する図であり、図（７−１）は図２のクリップ先端部（１ａ）に対応する部位の斜視図を示し、図（７−２）は当該部位の断面図を示している。
第四実施態様の落下防止用クリップ（１）における特徴的な点は、前記第一実施態様のスライド固定式クリップ（１）の固定をより確実・強固にするために、クリップ先端部（１ａ）の二股状テンプル固定片（ａ１、ａ１）の内側に、カラー（押圧部材）（ａ２）を配設するとともに、当該カラー（ａ２）にネジ付勢力を付与するために、止めネジ（ａ４）をテンプル（Ａ１）側から配設している点にある。
前記カラー（ａ２）及び止めネジ（ａ４）により、クリップ（１）は、二股状テンプル固定片（ａ１、ａ１）内のテンプル（Ａ１）により確実、強固に固定される。
【００１６】
図８は、本発明の第五実施態様の落下防止用クリップ（１）を説明する図であり、図（８−１）は図２のクリップの先端部（１ａ）に対応する部位の斜視図を示し、図（８−２）は当該部位の断面図を示している。
第五実施態様の落下防止用クリップ（１）における特徴的な点は、前記第一〜第四実施態様においては二股状テンプル固定片（ａ１、ａ１）をクリップ（１）の先端部（１ａ）の本体部に一体的に形成したが、その一方を別体の部材により別体型テンプル固定片（ａ３）とし、かつ、これをクリップ（１）の先端部（１ａ）の本体部に止めネジ（ａ４）によりネジ止めできるように構成した点にある。
これにより、（ａ３）と（ａ１）の間隔（上下方向の間隔）の大きさテンプル（Ａ１）の太さにもよるが、所望の位置でクリップ（１）をテンプル（Ａ１）に確実、強固に固定することができる。
【００１７】
図９は、本発明の第六実施態様の落下防止用クリップ（１）を説明する斜視図であり前記第一実施態様の図２に対応する図である。
第六実施態様の落下防止用クリップ（１）において特徴的な点は、テンプル（Ａ１）の所望部位に落下防止用クリップ（１）の先端部（１ａ）をろう付または溶接により固定している点であり、これによりクリップ（１）はテンプル（Ａ１）に強固に固定される。図９において、参照記号（ａ５）はろう付または溶接による固着部を示している。
【００１８】
【発明の効果】
本発明により、ポケットなどの収納部に収納されたメガネの落下を効果的に防止することができる。
例えば、メガネやサングラスを胸のポケットに入れて靴を履くなど下向きの姿勢をとるとき、メガネやサングラスがポケットから落下し、レンズやヒンジ部などを破損させてしまうが、本発明によりこれら欠点が効果的に解消される。
【００１９】
本発明の落下防止用クリップ付きメガネにおいて、落下防止用クリップはメガネのテンプル外側のヒンジ部の近傍に配設する構造のものであり、コンパクトかつ経済的であり、かつメガネの落下防止能に優れている。
【図面の簡単な説明】
【図１】本発明の落下防止用クリップ付きメガネ（Ａ）を説明するための図であり、特に落下防止用クリップ（１）が装着固定されるメガネ（Ａ）のテンプル（Ａ１）の部位を示す図である。
【図２】第一実施態様の落下防止用クリップ（１）をテンプル（Ａ１）に配設した状態を示す斜視図である。
【図３】第一実施態様の落下防止用クリップ（１）の各部（１ａ、１ｂ、１ｃ）の断面図である。
【図４】第一実施態様の落下防止クリップ（１）を配設したメガネ（Ａ）の使用例を説明する図である。
【図５】第二実施態様の落下防止用クリップ（１）を説明する図であり、図３の図（３−１）の対応する図である。
【図６】第三実施態様の落下防止用クリップ（１）を説明する図であり、図（６−１）は図２のクリップ先端部（１ａ）の部位の斜視図に対応する図であり、図（６−２）はその断面図を示す。
【図７】第四実施態様の落下防止用クリップ（１）を説明する図であり、図（７−１）は図２のクリップ先端部（１ａ）の部位の斜視図に対応する図であり、図（７−２）はその断面図を示す。
【図８】第五実施態様の落下防止用クリップ（１）を説明する図であり、図（８−１）は図２のクリップ先端部（１ａ）の部位の斜視図に対応する図であり、図（８−２）はその断面図である。
【図９】第六実施態様の落下防止用クリップ（１）を説明する斜視図であり、図２に対応する図である。
【符号の説明】
Ａ　　…………　メガネ
Ａ１　…………　テンプル
Ａ２　…………　ヒンジ
Ａ３　…………　耳部係止部（セル）
１　　…………　落下防止用クリップ
１ａ　…………　先端部
１ｂ　…………　中間部
１ｃ　…………　後端部
ａ１、ａ１　……　一体型二股状テンプル固定片
ａ２　…………　カラー
ａ３　…………　別体型テンプル固定片
ａ４　…………　止めネジ
ａ５　…………　ろう付または溶接の固着部
【図１】
2004093584.tif 000003
【図２】
2004093584.tif 000004
【図３】
2004093584.tif 000005
【図４】
2004093584.tif 000006
【図５】
2004093584.tif 000007
【図６】
2004093584.tif 000008
【図７】
2004093584.tif 000009
【図８】
2004093584.tif 000010
【図９】
2004093584.tif 000011